(57)【特許請求の範囲】
【請求項１】
蓋部材と底部材とをネジ部材により連結して構成され、遊技機の制御装置を収容する基板ケースであって、前記蓋部材には、前記ネジ部材の螺軸部を貫通させ頭部を通過させない貫通部の複数を１組にした貫通部組が設けられ、前記底部材には、前記ネジ部材の螺軸部を螺合させる螺合部が前記蓋部材の貫通部に対応して複数設けられ、前記ネジ部材の螺軸部を前記貫通部に貫通させて前記螺合部に螺合させることによって前記蓋部材と底部材とを連結して構成される基板ケースにおいて、
前記基板ケースの平面投影形状は略矩形であり、
該矩形の相対向する２辺のそれぞれに沿って前記貫通部を設けることで前記貫通部組を２組とし、
前記貫通部組を覆うことにより前記ネジ部材の頭部を覆い隠す覆部材を前記２組の貫通部組のそれぞれに対応して２つ設け、
該２つの前記覆部材同士を連結して一体とする連結部材を前記相対向する２辺間に位置する辺の一方に沿って配し、
前記覆部材を前記蓋部材と底部材の一方または双方に固定する固定手段を備えた
ことを特徴とする基板ケース。
【請求項２】
請求項１記載の基板ケースにおいて、
前記固定手段は前記覆部材を前記蓋部材と底部材の一方または双方に施錠する施錠機構を含むことを特徴とする基板ケース。
【請求項３】
請求項２記載の基板ケースにおいて、
前記固定手段の一部として、前記覆部材の前記連結部材とは逆側の端部と前記底部材との一方にヒンジ軸を、他方に該ヒンジ軸の軸受を設け、前記覆部材を該ヒンジ軸を中心にして揺動可能とし、
前記施錠機構を前記連結部材に取り付けて、該施錠機構により前記連結部材を前記底部材に施錠する構成とした
ことを特徴とする基板ケース。
【請求項４】
請求項３記載の基板ケースにおいて、
前記覆部材にて前記貫通部組を覆う封止状態では前記ヒンジ軸と前記軸受とを分離不能とし、
該封止状態から前記覆部材を設定角度以上揺動させた際には前記ヒンジ軸と前記軸受とを分離及び連結可能とした
ことを特徴とする基板ケース。
【発明の詳細な説明】
【０００１】
【発明の属する技術分野】
本発明は、遊技機の制御装置を収容する基板ケースの技術分野に属する。
【０００２】
【従来の技術】
パチンコ機に代表される弾球遊技機は、マイクロコンピュータである制御装置により大当たりゲームの実行、不実行を決めたり、可変入賞装置の動作を制御している。この制御装置は、プリント基板上にＣＰＵ、ＲＯＭ、ＲＡＭなどのディバイスを実装して構成されるマイクロコンピュータであり、その動作はＲＯＭに格納されているプログラムに従っている。このため、制御装置のプログラムが格納されているＲＯＭを不正なＲＯＭ（裏ＲＯＭ）に交換して不当な利得を図ろうとする行為が後を絶たなかった。また、回胴式遊技機においても制御装置によって当たり外れが決められており、この制御装置のＲＯＭを不正なＲＯＭに交換することで不当な利得を図ることが可能な点では、弾球遊技機と同様であった。
【０００３】
このような不正行為に対処するために、締め付け方向にはドライバが効くが緩め方向には効かない頭部形状のビス（ワンウェイビス）を用いて基板ケースの蓋と底とを連結し、基板ケースを開放した際にはビス付け部分の破壊痕が残るようにして不正な開放（不正なＲＯＭの交換などの行為）を発見しやすくしている。
【０００４】
なお、制御装置の修理などで基板ケースを開放する場合には、ワンウェイビスの頭部側を保持している部分を基板ケースの本体側から切り離すことによって開放し、使用済みのワンウェイビスはそのまま残留させていた。したがって、ワンウェイビスを取付けるための場所が複数箇所（普通は基板ケースの相対向する２辺に各４箇所、合計８箇所）設けられていた。そして、修理等での開放回数（正規の開放回数）の記録を残せば、残留しているワンウェイビスの本数と照合することで、不正な開放の有無を確認できた。
【０００５】
【発明が解決しようとする課題】
上述のワンウェイビスの採用は基板ケースのセキュリティを高めはした。ところが、従来は基板ケースの相対向する２辺において、１辺につき２本のツーウェイビス（締め緩め可能なビス）と１本のワンウェイビスとを用いて、底部材と蓋部材とを連結していたので、例えばツーウェイビスを取り外して２本のワンウェイビスは外さずにおき、底部材と蓋部材との間にドライバのような薄肉の工具を差し込んでこじれば、底部材と蓋部材の一方または双方を弾性変形させて、ＲＯＭを出し入れするに十分な隙間を確保できた。また、この程度の隙間ができれば、正規のＲＯＭとプリント基板との間にドライバなどを差し込んでＲＯＭを取外し、さらに不正なＲＯＭを装着することも不可能ではなかった。
【０００６】
本発明は、このような行為を防止することを目的としている。
【０００７】
【課題を解決するための手段及び発明の効果】
請求項１記載の基板ケースは、蓋部材と底部材とをネジ部材により連結して構成され、遊技機の制御装置を収容する基板ケースであって、前記蓋部材には、前記ネジ部材の螺軸部を貫通させ頭部を通過させない貫通部の複数を１組にした貫通部組が設けられ、前記底部材には、前記ネジ部材の螺軸部を螺合させる螺合部が前記蓋部材の貫通部に対応して複数設けられ、前記ネジ部材の螺軸部を前記貫通部に貫通させて前記螺合部に螺合させることによって前記蓋部材と底部材とを連結して構成される基板ケースにおいて、
前記基板ケースの平面投影形状は略矩形であり、
該矩形の相対向する２辺のそれぞれに沿って前記貫通部を設けることで前記貫通部組を２組とし、
前記貫通部組を覆うことにより前記ネジ部材の頭部を覆い隠す覆部材を前記２組の貫通部組のそれぞれに対応して２つ設け、
該２つの前記覆部材同士を連結して一体とする連結部材を前記相対向する２辺間に位置する辺の一方に沿って配し、
前記覆部材を前記蓋部材と底部材の一方または双方に固定する固定手段を備えた
ことを特徴とする。
【０００８】
基板ケースは、蓋部材と底部材とをネジ部材により連結して構成される。詳しくは、蓋部材には、ネジ部材の螺軸部を貫通させ頭部を通過させない貫通部の複数を１組にした貫通部組が設けられ、底部材には、ネジ部材の螺軸部を螺合させる螺合部が蓋部材の貫通部に対応して複数設けられており、ネジ部材の螺軸部を貫通部に貫通させて螺合部に螺合させることによって蓋部材と底部材とを連結して基板ケースが構成される。なお、貫通部及び螺合部は従来と同様でよいし、ネジ部材としては、上述のワンウェイビスを採用すればよい。またワンウェイビスとツーウェイビスを併用してもよい。
【０００９】
請求項１記載の基板ケースは、通常の基板ケースと同様に、その平面投影形状は略矩形であり、これをネジ部材で閉じるには矩形の基板ケースの相対向する２辺のそれぞれに沿って貫通部を設けることで貫通部組を２組としている。当然ながら螺合部の配置もこれに応じたものになる。このように構成することで、貫通部及び螺合部をバランスよく配置できる。
また、覆部材も２組の貫通部組のそれぞれに対応して２つ設けている。そして、２つの覆部材同士を連結して一体とする連結部材を貫通部が設けられた２辺間に位置する辺の一方に沿って配しているので、例えば１つの大きな覆部材を使用する場合に比べて、部品の小型化、使用材料の少量化が可能になる。
さらに、覆部材は、貫通部組を覆うことによりネジ部材の頭部を覆い隠し、固定手段は、この覆部材を蓋部材と底部材の一方または双方に固定する。すなわち、ネジ部材を取外そうとする場合には覆部材を取外さねばならないが、覆部材は固定手段によって固定されているので簡単には取り外せない。したがって、ネジ部材を取外すのは極めて困難になり、例えばネジ部材の一種としてのツーウェイビスを取外しワンウェイビスは残したままで基板ケースをこじ開けようとする行為を十分に防止できる。しかも、覆部材を取外すには手間がかかることから、取り外しをあきらめさせる効果もある。
【００１０】
また、覆部材を取外さない場合には、当然、ツーウェイビスも取り外せないから、こじ開けに対する耐性が極めて高く、こじ開けは事実上不可能となる。
ところで、固定手段による覆部材の固定が不可逆的なものであると、例えば修理などの正当な作業に支障を来すおそれがある。
【００１１】
そこで、請求項２記載の基板ケースは、請求項１記載の基板ケースにおいて、前記固定手段は前記覆部材を前記蓋部材と底部材の一方または双方に施錠する施錠機構を含むことを特徴としている。
この構成とすれば、修理などの正当な開放に際しては、施錠機構を解錠して覆部材を取外してネジ部材の頭部を露出させることにより、従来の基板ケースと同様に、基板ケースを開放することができる。
【００１２】
請求項３記載の基板ケースは、請求項２記載の基板ケースにおいて、
前記固定手段の一部として、前記覆部材の前記連結部材とは逆側の端部と前記底部材との一方にヒンジ軸を、他方に該ヒンジ軸の軸受を設け、前記覆部材を該ヒンジ軸を中心にして揺動可能とし、
前記施錠機構を前記連結部材に取り付けて、該施錠機構により前記連結部材を前記底部材に施錠する構成とした
ことを特徴とする。
【００１３】
請求項３記載の構成とすれば、ヒンジ軸と軸受による２点と施錠機構による１点の合計３点で、蓋部材を底部材側に押さえつけることになるから、前述のこじ開けに対する耐性は極めて高くなり、不正なＲＯＭの交換などの行為を一層良好に防止できる。
【００１４】
請求項４記載の基板ケースは、請求項３記載の基板ケースにおいて、
前記覆部材にて前記貫通部組を覆う封止状態では前記ヒンジ軸と前記軸受とを分離不能とし、該封止状態から前記覆部材を設定角度以上揺動させた際には前記ヒンジ軸と前記軸受とを分離及び連結可能としたことを特徴とする。
【００１５】
請求項４記載の構成とすれば、覆部材および連結部材の取付け、取外しが容易になり、基板ケースの組立は簡単になる。
【００１７】
【発明の実施の形態】
次に、本発明の実施例を図面を参照して説明して発明の実施の形態の説明とする。
【００１８】
【実施例】
まず、図１〜図７を参照して、本実施例の基板ケース２０の構造を説明する。
本実施例の基板ケース２０は、底部材２２、蓋部材２４、一対の覆部材２６を連結部材２８で連結して一体の部品とした抑止体３０及び施錠機構の一部となる錠前３２等から構成されている。なお、錠前３２は、連結部材２８の中央に設けられている取付孔３４に嵌入して固着されている。また、錠前３２の内部構造の図示は省略している。
【００１９】
底部材２２は、長方形の２隅を切り欠いた形状で、切欠き部分の一方の端面２２ａにはヒンジ軸３６と円盤状の頭部３８とからなる軸体４０が設けられている。この軸体４０は、覆部材２６の端部に設けられている軸受体４２と共同して固定手段の一部として機能するが、その詳細は後述する。
【００２０】
底部材２２の切り欠き部分の他方の端面２２ｂには底部材２２の厚み方向に沿った溝４４が設けられており、基板ケース２０を組立てる際には、蓋部材２４の爪４６が溝４４に挿通される。
底部材２２の２つの短辺のそれぞれに沿って、それぞれ４カ所の螺合部４８が設けられている。これらの螺合部４８には、図８に示されるワンウェイビス５０の螺軸部５０ａの径に応じた穴５４が設けられており、その穴５４にワンウェイビス５０の螺軸部５０ａを螺合させることができる。なおワンウェイビス５０は、請求項１記載のネジ部材に該当し、その頭部５０ｂには、ドライバ当たり面５０ｃと傾斜面５０ｄが向かい合って形成され、締め付け方向にはドライバ当たり面５０ｃによってマイナスドライバが利くが緩め方向は傾斜面５０ｄのためにドライバが利かない形状のドライバ溝が設けられている。
【００２１】
さらに、底部材２２の中央部の長辺２２ｃ側には、錠前３２の係止舌３２ａを係止するための係止部５６が立設されている。係止部５６は、背板５６ａ、側板５６ｂ及び天井板５６ｃからなり、側板５６ｂに対面する部分は開放されている。このため、錠前３２を操作して、その係止舌３２ａを開放側から側板５６ｂに向けて回動すれば、係止舌３２ａを天井板５６ｃの下面に接触させて係止させることができ、また係止舌３２ａを逆回りに回動させればこの係止を解除することができる。
【００２２】
また、底部材２２の４隅には、基板固定用のビス受５８が立設されており、ビス受５８に螺合するビス（図示略）により制御装置６０を固定することができる。
制御装置６０は、プリント基板６０ａ上に図示しないＣＰＵ等が組み付けられたマイクロコンピュータであり、電力供給や信号の入出力のための複数のコネクタ６０ｂを備えている。また、プリント基板６０ａの４隅にはビス用の貫通穴６０ｃが設けられ、コネクタ６０ｂとは反対側の辺の中央部にはＵ字状の切欠６０ｄが設けられている。
【００２３】
この制御装置６０は、各貫通穴６０ｃをそれぞれビス受５８に整合させて、その上面側から貫通穴６０ｃを貫通してビス受５８に螺合するビスにより底部材２２に固定される。その際、切欠６０ｄにより底部材２２の係止部５６との干渉が回避される。
【００２４】
蓋部材２４には、それぞれ４箇所の貫通部６４が設けられた一対の覆受部６６が設けられており、各覆受部６６の端部に前述の爪４６が連設されている。各貫通部６４は、それぞれ一対の連結部６８によって覆受部６６に連結されているが、連結部６８を例えばニッパのような工具で切断すれば、貫通部６４を覆受部６６から切り離すことができる。
【００２５】
蓋部材２４には、また錠前３２を通過させるための錠前通過孔７０が設けられている。この錠前通過孔７０は、大小のＵ字孔７２、７４を合体させた形状で、大Ｕ字孔７２の一部は、蓋部材２４の壁面２４ａに連接された棚部７２ａによって遮断されているが、その奥側及び小Ｕ字孔７４は蓋部材２４の内部まで貫通している。
【００２６】
錠前３２の係止舌３２ａを小Ｕ字孔７４に対応させれば、錠前３２の底面３２ｂが棚部７２ａに接触する寸前まで、錠前３２を錠前通過孔７０内に挿通させることができ、そこで錠前３２を操作して係止舌３２ａを回動すれば、係止舌３２ａを係止部５６に係止させることができる。また、一旦係止させた係止舌３２ａを逆方向に回動させれば係止部５６から解放することがきる。
【００２７】
抑止体３０の覆部材２６には、蓋部材２４の連結部６８に対応する位置に凸部８０が設けられている。この凸部８０の裏面側（蓋部材２４側）は凹陥しており、この中に連結部６８を受け容れることができる。覆部材２６と連結部材２８との連結部分は三角リブ８２にて補強されている。
【００２８】
前述した軸受体４２は、軸受溝８３が設けられた軸受板８４とカバー８６とを有している。軸受溝８３は、軸体４０のヒンジ軸３６を挿通させる寸法であり、軸受板８４とカバー８６との間には軸体４０の頭部３８を収容することができる。
【００２９】
次に、図９〜図１２を参照して基板ケース２０に制御装置６０を収容する手順を説明する。
まず、図９に示されるように、底部材２２に制御装置６０を固定し、その上側から載せるようにして蓋部材２４を底部材２２に接合させて、蓋部材２４の各覆受部６６について１箇所（合計２箇所）の貫通部６４とこれに対応する底部材２２の螺合部４８とをワンウェイビス５０によって連結する。このワンウェイビス５０の締め付け後は、連結部６８をニッパ等で切断して、貫通部６４を覆受部６６から切り離さない限り、蓋部材２４と底部材２２とを分離できない。
【００３０】
次に、図１０に示されるように、軸受体４２を上側から軸体４０にかぶせるようにして、軸受溝８３にヒンジ軸３６を挿通させ、軸受板８４とカバー８６との間に頭部３８を収容する。そして、図１１に示されるように、ヒンジ軸３６を中心にして抑止体３０を回転させる。このとき、予め錠前３２を操作して、係止舌３２ａが錠前通過孔７０の小Ｕ字孔７４に対応する位置にしておく。
【００３１】
抑止体３０をほぼ１８０度回転させると、図１２に示されるように、覆部材２６が覆受部６６上になり、凸部８０の裏面側に連結部６８が受け容れられる。
最後に錠前３２を操作して係止舌３２ａを係止部５６に係止させれば、基板ケース２０の施錠が完了する。
【００３２】
このようにして施錠された基板ケース２０においては、蓋部材２４と底部材２２とをワンウェイビス５０により連結し、覆部材２６により貫通部６４を覆うことによりワンウェイビス５０の頭部５０ｂを覆い隠し、軸受体４２と軸体４０との係合と錠前３２により、覆部材２６を含む抑止体３０を底部材２２に固定している。
【００３３】
この基板ケース２０を開けるためにワンウェイビス５０を取外そうとする場合には覆部材２６を含む抑止体３０を取外さねばならないが、抑止体３０は上述のように底部材２２に固定されているので簡単には取り外せない。したがって、ワンウェイビス５０を取外すのは極めて困難になる。また、抑止体３０が底部材２２に固定されているので、ワンウェイビス５０を取り外さずに、基板ケース２０をこじ開けようとする行為を十分に防止できる。しかも、抑止体３０を取外すには少なくとも錠前３２、軸受体４２または軸体４０のいずれかを壊す必要があり、手間がかかるから、抑止体３０の取り外しをあきらめさせる効果もある。
【００３４】
さらに、軸受体４２と軸体４０とによる２点と錠前３２による１点の合計３点にて抑止体３０を底部材２２に固定し、一対の覆部材２６と連結部材２８とで蓋部材２４の３辺を底部材２２側に押さえつけることになるから、前述のこじ開けに対する耐性は極めて高くなり、不正なＲＯＭの交換などの行為を一層良好に防止できる。
【００３５】
しかし、修理などの正当な開放に際しては、錠前３２を操作して抑止体３０を取外してから、連結部６８をニッパ等で切断して貫通部６４を覆受部６６から切り離せば、基板ケース２０を簡単に開放できる。その際に、切り離された貫通部６４は底部材２２側に残留するから、修理記録等と照合することによって不正な開放の有無を確認できる。
【００３６】
また、４箇所の貫通部６４を１組として、その貫通部６４の組のそれぞれに対応して覆部材２６を２つ設け、これらの覆部材２６を連結部材２８によって互いに連結して抑止体３０として一体にしているので、例えば１つの大きな覆部材を使用する場合に比べて、部品の小型化、使用材料の少量化が可能になる。
【００３７】
特に、基板ケース２０の平面投影形状はほぼ矩形であり、その矩形の相対向する２辺のそれぞれに沿って貫通部６４を設けることで貫通部６４の組を２組とし、それら２組の貫通部６４に対応する２つの覆部材２６同士を連結する連結部材２８を相対向する２辺間に位置する辺の一方に沿って配しているから、貫通部６４及び螺合部４８をバランスよく配置できる。
【００３８】
さらに、覆部材２６にて貫通部６４を覆う封止状態では軸受体４２と軸体４０とを分離不能とし、封止状態から抑止体３０を約１８０度揺動させた際には軸受体４２と軸体４０とを分離及び連結可能としているので、抑止体３０の取付け、取外しが容易になり、基板ケース２０の組立は簡単になる。
【００３９】
以上、実施例にしたがって本発明の実施の形態を説明したが、本発明はこれらの例に限定されるものではない。
【図面の簡単な説明】
【図１】  実施例の基板ケースの全体図であり、図１（ａ）は平面図、図１（ｂ）は正面図、図１（ｃ）は右側面図、図１（ｄ）は背面図、図１（ｅ）は左側面図、図１（ｆ）は図１（ａ）に示されるＡ−Ａ線に沿った断面図である。
【図２】  実施例の基板ケースの分解斜視図である。
【図３】  実施例の基板ケースの図２とは９０度異なる角度の分解斜視図である。
【図４】  実施例の基板ケースの斜視図である。
【図５】  図１（ａ）に示されるＡ−Ａ線に沿った斜視断面図である。
【図６】  実施例の基板ケースの図５とは１８０度異なる角度の斜視断面図である。
【図７】  図５の状態の分解斜視図である。
【図８】  実施例で使用しているワンウェイビスの説明図である。
【図９】  実施例の基板ケースの組立手順の説明図であり、制御装置を固定した状態を示している。
【図１０】  実施例の基板ケースの組立手順の説明図であり、抑止体を装着した状態を示している。
【図１１】  実施例の基板ケースの組立手順の説明図であり、抑止体を約９０度回転した状態を示している。
【図１２】  実施例の基板ケースの組立手順の説明図であり、抑止体を施錠した状態を示している。
【符号の説明】
２０…基板ケース    ２２…底部材    ２２ａ…端面    ２２ｂ…端面
２２ｃ…長辺    ２４…蓋部材    ２４ａ…壁面    ２６…覆部材
２８…連結部材    ３０…抑止体    ３２…錠前（固定手段、施錠機構）
３２ａ…係止舌    ３２ｂ…底面    ３４…取付孔
３６…ヒンジ軸（固定手段）    ３８…頭部（固定手段）
４０…軸体（固定手段）    ４２…軸受体（軸受）    ４４…溝
４６…爪    ４８…螺合部    ５０…ワンウェイビス（ネジ部材）
５０ａ…螺軸部    ５０ｂ…頭部    ５０ｃ…ドライバ当たり面
５０ｄ…傾斜面    ５４…穴    ５６…係止部（固定手段、施錠機構）
５６ａ…背板    ５６ｂ…側板    ５６ｃ…天井板    ５８…ビス受
６０…制御装置    ６０ａ…プリント基板    ６０ｂ…コネクタ
６０ｃ…貫通穴    ６０ｄ…切欠    ６４…貫通部    ６６…覆受部
６８…連結部    ７０…錠前通過孔    ７２…大Ｕ字孔
７２ａ…棚部    ７４…小Ｕ字孔    ８０…凸部    ８２…三角リブ
８３…軸受溝（軸受）    ８４…軸受板（固定手段、軸受）
８６…カバー（固定手段）
【図１】
0004156071.tif 000002
【図２】
0004156071.tif 000003
【図３】
0004156071.tif 000004
【図４】
0004156071.tif 000005
【図５】
0004156071.tif 000006
【図６】
0004156071.tif 000007
【図７】
0004156071.tif 000008
【図８】
0004156071.tif 000009
【図９】
0004156071.tif 000010
【図１０】
0004156071.tif 000011
【図１１】
0004156071.tif 000012
【図１２】
0004156071.tif 000013